(57)【要約】【課題】  階段装置全体がすっきりとした外観を持ち、居間などの居室に設置しても違和感が少ない階段装置を構成することができる階段踏み板取付構造及び階段装置提供すること。【解決手段】  壁１から水平方向に突設される支持アングル２に、中空箱型で一側面に前記支持アングル２挿入用の開口３１を有する踏み板箱３を被せてなる階段踏み板取付構造であって、該踏み板箱３は支持アングル２全体を被装し、壁１に前記踏み板箱３の側面が当接され、そして支持アングル２の踏み板箱３への挿入先端が、踏み板箱３の開口３１の対面側内面に当接されている階段踏み板取付構造である。【選択図】図１
2006200293.tif 000002
【特許請求の範囲】
【請求項１】
壁から水平方向に突設される支持アングルに、中空箱型で一側面に前記支持アングル挿入用の開口を有する踏み板箱を被せてなる階段踏み板取付構造。
【請求項２】
踏み板箱が支持アングル全体を被装し、壁に前記踏み板箱の側面が当接されていることを特徴とする請求項１記載の階段踏み板取付構造。
【請求項３】
支持アングルの踏み板箱への挿入先端が、踏み板箱の開口の対面側内面に当接されていることを特徴とする請求項１または請求項２記載の階段踏み板取付構造。
【請求項４】
請求項１から３のいずれかひとつに記載の階段踏み板取付構造の踏み板を用い、各踏み板をそれぞれ上下方向、前後方向に所定間隔ずらした位置に設けてなる階段装置。
【発明の詳細な説明】
【技術分野】
【０００１】
本発明は、一般住宅や集合住宅に用いられる階段踏み板取付構造及び階段装置に関するものである。
【背景技術】
【０００２】
階段は、従来から種々の建築物において用いられる建築設備である。通常は廊下に面して設けられ、直線階段、廻り階段など、レイアウトに応じ種々の態様で設けられている。
【０００３】
近年では、上述のように居室外に設けられることが多い階段を、居室の中に設け、例えば家人が帰宅して、階上の自分の居室に行く際に、居間などにいる同居人と顔を合わせずに行くことの無いようにするなど、階段を居室に組込む場合がある。
【０００４】
そのような階段の場合、従来の階段で用いられる、両側を壁で挟む形式の階段では、居室内に与える圧迫感が大きいため、例えば階段の踏み板を下側から支え、階段を挟む壁を設けず、圧迫感の少ない階段装置などが提供されている。（例えば特許文献１など）
しかしながら、階段装置全体を支える必要があるため、階段装置の構造は重厚なものとせざるをえず、居間などに設ける場合には、ともすれば圧迫感を与えることになっていた。
【特許文献１】特開２００４−１４３８９０号公報
【発明の開示】
【発明が解決しようとする課題】
【０００５】
本願発明は、上記背景技術に鑑みて発明されたものであり、その課題は、階段装置全体がすっきりとした外観を持ち、居間などの居室に設置しても違和感が少ない階段装置を構成することができる階段踏み板取付構造及び階段装置提供することである。
【課題を解決するための手段】
【０００６】
上記課題を解決するために、請求項１にかかる本願発明では、壁から水平方向に突設される支持アングルに、中空箱型で一側面に前記支持アングル挿入用の開口を有する踏み板箱を被せてなる階段踏み板取付構造としている。
【０００７】
また請求項２にかかる発明では上記に加え、踏み板箱が支持アングル全体を被装し、壁に前記踏み板箱の側面が当接されていることを特徴とする階段踏み板取付構造としている。
【０００８】
また請求項３にかかる発明では上記に加え、支持アングルの踏み板箱への挿入先端が、踏み板箱の開口の対面側内面に当接されていることを特徴とする階段踏み板取付構造としている。
【０００９】
そして請求項４にかかる発明では、上記の階段踏み板取付構造の踏み板を用い、各踏み板をそれぞれ上下方向、前後方向に所定間隔ずらした位置に設けた階段装置としている。
【発明の効果】
【００１０】
本願発明の請求項１にかかる階段踏み板取付構造では、支持アングルが壁から突設されるものの、踏み板箱で該支持アングルを被装するので、また片持ち形式の階段踏み板取付構造となり、壁から踏み板箱が突設されているように見え、すっきりとした外観を有するので、違和感の少ないものとできる。
【００１１】
また本願発明の請求項２にかかる階段踏み板取付構造では上記に加えさらに、踏み板箱が完全に支持アングルを被装するので、さらにすっきりとした外観とすることができる。
【００１２】
また本願発明の請求項３にかかる階段踏み板取付構造では上記に加えさらに、支持アングルの先端が踏み板箱の奥まで達するので、踏み板箱の先端付近まで支えることになり、歩行可能範囲をより広くとることができる。
【００１３】
そして本願発明の請求項４にかかる階段装置では、上記の階段踏み板取付構造を有した階段装置とすることで、すっきりとした外観を有し、居室内に設けても違和感の少ない階段装置とすることができる。
【発明を実施するための最良の形態】
【００１４】
本願発明の最良の形態を図１及び図２に示される以下の実施形態にて説明する。
【００１５】
本実施形態では、図１（ａ）に階段踏み板取付構造を示すように、壁１から水平方向に突設される支持アングル２に、中空箱型で一側面に前記支持アングル２挿入用の開口３１を有する踏み板箱３を被せてなる階段踏み板取付構造であって、該踏み板箱３は支持アングル２全体を被装し、壁１に前記踏み板箱３の側面が当接され、そして支持アングル２の踏み板箱３への挿入先端が、踏み板箱３の開口３１の対面側内面に当接されている階段踏み板取付構造である。
【００１６】
そして図２にその一部を斜視図として示すように、この階段踏み板取付構造の踏み板５を、各踏み板５のそれぞれ上下方向、前後方向に所定間隔ずらした位置に設けていき、階段装置６としている。なお、図示していないものの、手摺などを適宜壁１と反対側の踏み板５先端部分に設けてもかまわない。
【００１７】
なお、支持アングル２は、板状の壁固定部２１と、該壁固定部２１に垂直に設けられ踏み板箱３を保持する保持片２２とからなり、補強のために垂下片２３を設けている。この壁固定部２１と保持片２２とは、同じ巾の鉄などの金属板で構成されている。そして垂下片２３は、溶接などの手法で設けられている。勿論、壁固定部２１と保持片２２とを一枚の金属板から、折り曲げるなどして形成してもかまわない。また、垂下片２３は、支持アングル２の先端側に向かうほど、高さ方向が先細りの形状となっていて、踏み板箱３に設けられている開口３１を通して踏み板箱３に支持アングル２の先端を挿入する際に、邪魔にならないようになっている。
【００１８】
図１（ａ）に示される階段踏み板取付構造ではさらに、支持アングル２を、壁１を構成する間柱などの柱体１１に直接埋め込み、壁１から突出している基礎締結具４に支持アングル２を固定している。そのため柱体１１が無い、若しくは強度が不足するなどする部分に踏み板５を設ける場合には、予め柱体１１を補充、補強をしておく。なお、基礎締結具４は、本図では直接柱体１１に設けているように描画されているが、例えば先に補強用のアンカーを埋め込み、基礎締結具４が柱体１１に強固に取り付けられるように補強しておくことなど、種々の方法を用いて、踏み板５が安全に設けられるようにされている。
【００１９】
また、本実施形態では装飾のため側板と呼ばれる化粧材１３を間に設けている。そして壁１は柱体１１の室内側に、石膏ボードや木質板材などの化粧板１２を用いて構成されている。踏み板箱３が壁に当接するとは、この場合、化粧板１２に踏み板箱３が当接することも含まれる。
【００２０】
ここで踏み板箱３について説明すると、先述のとおり、中空箱型で一側面に前記支持アングル２挿入用の開口３１を有しているが、本実施形態では、開口３１を一側面全体に拡げた形で形成している。勿論支持アングル２の形状によっては、一側面全体でなく、部分的に開口３１を形成する場合もありえる。なお、特に必要が無ければ、開口３１の大きさは支持アングル２全体が通る大きさにしておけばよい。
【００２１】
また該踏み板箱３じたいは、踏み面となる上面側を強度確保のため厚く形成し、合板を用いて箱状に形成されている。そして表面には塗装、突板、化粧シートなどの手段を用い、化粧を施している。その他、例えば金属箱を用いたものなど、種々の態様が考えられる。また開口３１は、支持アングル２の形状によっては、例えば踏み板箱３の上面、下面、側面などに至るような形状としてもよい。
【００２２】
次に支持アングル２の形状は、利用者の安全性を考慮し、また利用中に踏み板箱３ががたついてこないように、先述のとおり、保持片２２の巾を踏み板箱３の内部の巾とほぼ同じ巾（支持アングル２の挿入に支障のない程度）とし、また保持片２２の長さは、踏み板箱３の内部の奥行きとほぼ同じ長さとしている。
【００２３】
次に、この階段踏み板取付構造の組み立て（施工）手順について説明をする。
【００２４】
図１（ｂ）に示すように、予め基礎締結具４を壁１から突出させておく。そして支持アングル２を基礎締結具４に、壁固定部２１に設けられている孔（図示せず）に該基礎締結具４を通し、次いでナットなどを用いて固定する。なお、基礎締結具４は、本実施形態では予め壁１から突出させる寸切りボルトと呼ばれる、ボルトの頭の部分を切り落としたものを用い、ナットを用いているが、通常のボルトを用い、予め壁１から基礎締結具４を突出させず、支持アングル２を固定部位にまず押し当て、基礎締結具４を後から用いる形式であってもよい。なお、踏み板箱３の固定は、支持アングル２との固定、壁１、化粧材１３との固定などで行なう。ネジを用いるものその他、種々の態様（例えば踏み板箱３と支持アングル２とが直接係合するような機構など）を用いることができる。
【００２５】
図３は、本発明の他の実施形態を示している。
【００２６】
本実施形態は、壁紙を用いた壁（構造）に本階段踏み板取付構造を用いる場合を示している。この壁（構造）では、柱体間に胴縁１５が架設され、化粧板１２が貼着され、該化粧板１２の表面に壁紙１６が貼着されている。そして実施形態では、化粧板１２を一部切欠いて、補強板１４を設けている。なお、柱体に強度があれば、特に補強板１４を設ける必要は無い。
【００２７】
そして壁紙１６は、踏み板箱によりその端部切り口部分が隠されるように切りかかれている。このため階段踏み板取付構造が完成した後は、壁紙のしまい部分は隠され、利用者の目に触れることが無い。一方、壁紙を取り替えるときには、いったん踏み板箱、支持アングルを外し、壁紙１６を取り替えた後、再度支持アングル２、踏み板箱３を戻すことで、簡単に壁紙１６の取替えが美麗にできる。なお、この場合基礎締結具４自体は、壁１から取り外さずに、壁紙１６を切欠く際の目印として用い、簡単に施工することができる。その他説明をしない部分については、先の実施形態と同様である。
【図面の簡単な説明】
【００２８】
【図１】本願発明の一実施形態である階段踏み板取付構造を示しており、（ａ）は階段踏み板取付構造、（ｂ）は同組み立て分解図である。
【図２】本実施形態の階段踏み板取付構造を用いた階段装置の一部を示す斜視図である。
【図３】他の実施形態の階段踏み板取付構造の組み立て分解図である。
【符号の説明】
【００２９】
１  壁
１１  柱体
１２  化粧板
１３  化粧材
１４  補強板
１５  胴縁
１６  壁紙
２  支持アングル
２１  壁固定部
２２  保持片
２３  垂下片
３  踏み板箱
３１  開口
４  基礎締結具
５  踏み板
６  階段装置
【図１】
2006200293.tif 000003
【図２】
2006200293.tif 000004
【図３】
2006200293.tif 000005